(57)【要約】【課題】  デザイン性を損ねることなく表示部の開閉により回転しないコネクタ部を備える電子機器を提供する。【解決手段】  ＤＣジャックコネクタ部１６は、ヒンジ収容部１２のヒンジ機構部２５の回動軸方向の一方の端部でハウジングボトム２２に配置されている。キャップ部材１５は、表示部２と一体的に回動自在に設けられている。このため、表示部２が回動してもＤＣジャックコネクタ部１６が回動することを防止することができる。ＤＣジャックコネクタ部１６があたかもキャップ部材１５と一体的に回動しているようにユーザに対して見せることができ、デザイン性が損なわれることを防止することができる。【選択図】図６
2010066905.tif 000002
【特許請求の範囲】
【請求項１】
電子機器本体部と、
前記電子機器本体部と電気的に接続された表示部と、
前記電子機器本体部に対して前記表示部を回動自在に連結するヒンジ部と、
前記ヒンジ部を収容する収容部と、
前記収容部の前記ヒンジ部の回動軸方向の一方の端部に設けられ、外部端子を接続可能な接続部を有するコネクタ部と、
前記表示部と一体的に回動自在に設けられ、前記コネクタ部を前記接続部を除いて包囲するキャップ部材と
を具備する電子機器。
【請求項２】
請求項１に記載の電子機器であって、
前記収容部内で前記コネクタ部に接続された配線を更に具備する
電子機器。
【請求項３】
請求項２に記載の電子機器であって、
前記ヒンジ部は、
前記電子機器本体部と前記表示部とを接続する第２の配線を挿通する筒状部品と、
前記筒状部品に回動自在に連結され、前記表示部に一端が固定された連結部と
を具備する
電子機器。
【請求項４】
請求項３に記載の電子機器であって、
前記ヒンジ部は、前記電子機器本体部の背面の両端部に設けられた複数のヒンジ機構を含み、
前記収容部は、前記複数のヒンジ機構を一体に収容する
電子機器。
【請求項５】
請求項４に記載の電子機器であって、
前記電子機器本体部と、前記キャップ部材とは、離間している
電子機器。
【請求項６】
請求項５に記載の電子機器であって、
前記表示部は、前記表示部から導出され前記コネクタ部の外周面に離間して配置された環状部を有し、前記キャップ部品は、前記コネクタ部に前記環状部を介して設けられ、前記コネクタ部の外周面と前記環状部の内周面との間に摺動部材が介在する
電子機器。
【請求項７】
請求項６に記載の電子機器であって、
前記収容部の他方の端部に前記表示部と一体的に回動可能に設けられ、ユーザによる押圧面を有する電源ボタンと、
前記電源ボタンを前記押圧面を除き包囲し前記表示部と一体的に回動可能に設けられたスイッチキャップ部材と
を更に具備する
電子機器。
【発明の詳細な説明】
【技術分野】
【０００１】
本発明は、例えば表示部を回動自在にするヒンジを有するノート型パーソナルコンピュータ等の電子機器に関する。
【背景技術】
【０００２】
従来、ノート型のパーソナルコンピュータは、キーボード側の本体部に対してＬＣＤ（Ｌｉｑｕｉｄ  Ｃｒｙｓｔａｌ  Ｄｉｓｐｌａｙ）側の表示部を回動自在にするヒンジ部を備える。例えばヒンジ部の一方の側端に電源スイッチが設けられ、他方の側端に電源供給用の接続端子のコネクタが設けられている。このコネクタは、表示側の筺体に取り付けられている（例えば、特許文献１参照。）。  
【特許文献１】特開２００５−１２８８０５号公報（段落[０１４１]、図２４）
【発明の開示】
【発明が解決しようとする課題】
【０００３】
しかしながら、上記特許文献１の技術では、ユーザが表示部を本体部に対して開閉すると、表示部に設けられたコネクタも表示部と一体的に回動する。このため、ヒンジ部においてコネクタに接続された配線ケーブル等の線材に負荷がかかる、という問題がある。
【０００４】
以上のような事情に鑑み、本発明の目的は、デザイン性を損ねることなく表示部の開閉により回動しないコネクタ部を備える電子機器を提供することにある。
【課題を解決するための手段】
【０００５】
本発明に係る電子機器は、電子機器本体部と、表示部と、ヒンジ部と、収容部と、コネクタ部と、キャップ部材とを有する。上記表示部は、上記電子機器本体部と電気的に接続される。上記ヒンジ部は、上記電子機器本体部に対して上記表示部を回動自在に連結する。上記収容部は、上記ヒンジ部を収容する。上記コネクタ部は、上記収容部の上記ヒンジ部の回動軸方向の一方の端部に設けられ、外部端子を接続可能な接続部を有する。上記キャップ部材は、上記表示部と一体的に回動自在に設けられ、上記コネクタ部を上記接続部を除いて包囲する。
【０００６】
本発明では、コネクタ部は、収容部のヒンジ部の回動軸方向の一方の端部に設けられているので、表示部が回動してもコネクタ部が回動することを防止することができる。キャップ部材は、表示部と一体的に回動自在に設けられるので、表示部が電子機器本体部に対して回動するときに、キャップ部材が表示部と一体的に回動する。この結果、コネクタ部があたかもキャップ部材と一体的に回動しているようにユーザに対して見せることができ、デザイン性が損なわれることを防止することができる。
【０００７】
上記収容部内で上記コネクタ部に接続された配線を更に具備するようにしてもよい。  
これにより、電子機器本体部に対して表示部が回動しても、コネクタ部は回動しないので、配線に負荷がかかることを防止することができる。
【０００８】
上記ヒンジ部は、上記電子機器本体部と上記表示部とを接続する第２の配線を挿通する筒状部品と、上記筒状部品に回動自在に連結され、上記表示部に一端が固定された連結部とを具備するようにしてもよい。  
これにより、電子機器本体部に対して表示部が回動しても、表示部と一体的に連結部が筒状部品に対して回動する。この結果、表示部の回動時に配線にかかる負荷を確実に低減することができる。
【０００９】
上記ヒンジ部は、上記電子機器本体部の背面の両端部に設けられた複数のヒンジ機構を含み、上記収容部は、上記複数のヒンジ機構を一体に収容するようにしてもよい。  
これにより、電子機器本体部に対して確実に表示部を回動自在に設けることができる。
【００１０】
上記電子機器本体部と、上記キャップ部材とは、離間しているようにしてもよい。  
これにより、コネクタ部が表示部と一体的に設けられていることをより明確に示すことができ、電子機器本体部に対して表示部を回動させたときに、キャップ部材が回動する様子をユーザに対してより分かり易く示すことができる。結果的に、表示部の回動時にあたかもコネクタ部が回動するようにユーザにみせつつコネクタ部を安定的に配置することができる。
【００１１】
上記表示部は、上記表示部から導出され上記コネクタ部の外周面に離間して配置された環状部を有し、上記キャップ部品は、上記コネクタ部に上記環状部を介して設けられ、上記コネクタ部の外周面と上記環状部の内周面との間に摺動部材が介在するようにしてもよい。  
これにより、コネクタ部の外周面と環状部の内周面との間に摺動部材が介在するので、表示部の回動時にコネクタ部の外周面と環状部の内周面との摩擦による磨耗を防止することができると共に、コネクタ部を補強することができる。
【００１２】
上記収容部の他方の端部に前記表示部と一体的に回動自在に設けられ、ユーザによる押圧面を有する電源ボタンと、上記電源ボタンを上記押圧面を除き包囲し上記表示部と一体的に回動自在に設けられたスイッチキャップ部材とを更に具備するようにしてもよい。  
これにより、電子機器本体部に対して表示部を回動するときに、コネクタ部のキャップ部材と、電源スイッチのスイッチキャップ部材とを表示部と一体的に回動させることができる。つまり、デザイン性を損ねることを防止することができる。
【発明の効果】
【００１３】
以上のように、本発明によれば、デザイン性を損ねることなく表示部の開閉により回転しないコネクタ部を備える電子機器を提供することができる。
【発明を実施するための最良の形態】
【００１４】
以下、本発明の実施の形態を図面に基づき説明する。  
本実施形態では電子機器としてノート型のパーソナルコンピュータを一例に挙げて説明する。  
図１は本発明の一実施形態に係る電子機器の開いた状態の斜視図、図２は図１に示す電子機器の閉じた状態の斜視図である。  
電子機器１は、表示部２と、本体部３と、これら表示部２と本体部３とを回動自在に連結するヒンジ連結部４とを備えている。
【００１５】
表示部２は、ヒンジ連結部４を介して本体部３に対して開閉可能である。表示部２は、表示部２の筐体５、表示面６と、筐体５内に設けられた表示処理を行う図示しない表示処理ユニットとを備えている。
【００１６】
筐体５は、図示しない表示処理ユニットを収容する表示部２の外装部品である。表示面６は、情報を表示するための画面であり、閉じた状態で本体部３に対面する。
【００１７】
本体部３は、本体部３の筐体７、キーボードユニット８、図示しない中央処理装置、図示しないハードディスク装置などの部品を備えている。
【００１８】
筐体７は、本体部３の外装部品である。キーボードユニット８は、例えば複数のキー等を備えており、電子機器１の入力部として機能する。中央処理装置は、筐体７内の多層プリント配線板に実装されている。中央処理装置は、キーボードユニット８からの入力信号を受けて、演算処理、制御処理、画像処理、表示部２への出力処理などの各種処理を行い、この電子機器１の実質的な機能上の本体として機能する。
【００１９】
ヒンジ連結部４は、ＤＣジャック部１０と、電源スイッチ１１と、本体部３に一体的に設けられたヒンジ収容部１２とを備えている。ＤＣジャック部１０は、ヒンジ連結部４の軸方向（図１のＹ方向）の左端に配置されている。電源スイッチ１１は、ヒンジ連結部４の軸方向（図１のＹ方向）の右端に配置されている。
【００２０】
図３は図１に示す電子機器１のＤＣジャック部１０付近の部分斜視図である。  
ＤＣジャック部１０は、本体部３の背面側の端部に配置されている。ＤＣジャック部１０は、外装部品であるキャップ部材１５と、キャップ部材１５に収容されたＤＣジャックコネクタ部１６とを備える。キャップ部材１５は、キャップ形状を有している。キャップ部材１５の側面５１には、略円形状の開口１７が形成されている。ＤＣジャックコネクタ部１６は、その接続端子接続部１４が開口１７から露出している。接続端子接続部１４には、図示しない電源供給用の接続端子が接続される。ヒンジ収容部１２は、略円筒形状をする。ヒンジ収容部１２の直径は、キャップ部材１５の直径と略同じである。これにより、デザイン性が向上する。
【００２１】
図４は図１に示す電子機器１のＤＣジャック部１０付近の部分斜視図である。  
ＤＣジャック部１０は、本体部３から離間して設けられている。つまり、ＤＣジャック部１０と、本体部３との間には、ギャップＧが形成されている。特に、図４に示すように、本体部３に対して表示部２を開いた状態では、ユーザは、ギャップＧを容易に見ることができる。ユーザが本体部３に対して表示部２を開閉するときには、キャップ部材１５は表示部２と一体的に回動する。このとき、キャップ部材１５内のＤＣジャックコネクタ部１６はキャップ部材１５と一体的に回動せず本体部３に固定されたまま回動しない。
【００２２】
図５は電子機器１のＤＣジャック部１０のキャップ部材１５を外した状態の部分斜視図、図６は図３に示す電子機器１のＡ−Ａ断面図である。  
ヒンジ収容部１２は円筒形状を有している。ヒンジ収容部１２は、本体部３の上面側の外装部品であるパームレスト２１と、本体部３の底面側の外装部品であるハウジングボトム２２とを組み合わせることにより構成されている。ヒンジ収容部１２内には、複数の配線ケーブル２３が引き回されている。これらの配線ケーブル２３は、図６に示すようにヒンジ機構部２５に挿通されている。
【００２３】
ヒンジ機構部２５は、ヒンジ収容部１２内に収容されている。ヒンジ機構部２５は、筒状部品２６、本体部側連結部材２７、表示部側連結部材２８を備える。  
筒状部品２６は、筒形状を有している。筒状部品２６は、複数の配線ケーブル２３の挿通される貫通孔２９を形成する。配線ケーブル２３は、本体部３内の各部に接続され、貫通孔２９を挿通し、表示部２側の各部に接続されている。
【００２４】
本体部側連結部材２７の一端部は、ハウジングボトム２２に例えば固定されている。本体部側連結部材２７の他端部には、筒状部品２６が挿入される貫通孔３０が形成されている。本体部側連結部材２７は、筒状部品２６をヒンジ収容部１２内の所定の位置に配置する。
【００２５】
表示部側連結部材２８は、図６に示すように、貫通孔３１が形成されている。表示部側連結部材２８の貫通孔３１内に筒状部品２６が挿入されている。表示部側連結部材２８は表示部２側に固定されている。表示部側連結部材２８は、表示部２の回動に伴い表示部２と一体的に筒状部品２６の周りに回動可能である。つまり、表示部２は、ヒンジ機構部２５の回動軸Ｙを軸として本体部３に対して回動可能である。
【００２６】
ＤＣジャック部１０は、図６に示すように、キャップ部材１５、ＤＣジャックコネクタ部１６、摺動部材３３を備える。  
キャップ部材１５は、ＤＣジャックコネクタ部１６を接続端子接続部１４を除いて包囲する。キャップ部材１５は、表示部２のトップカバー３５及びベゼル３６に固定されている。トップカバー３５とベゼル３６とによりＤＣジャックコネクタ部１６の一部を包囲する環状部９４が形成されている。つまり、表示部２は、図５、図６に示すように、表示部２から導出されＤＣジャックコネクタ部１６の外周面３８に離間して配置された環状部９４を備える。キャップ部品１５は、ＤＣジャックコネクタ部１６に環状部９４を介して設けられている。キャップ部材１５の開口１７からＤＣジャックコネクタ部１６の接続端子接続部１４が外部に露出している。
【００２７】
ＤＣジャックコネクタ部１６は、ハウジングボトム２２に固定されている。ＤＣジャックコネクタ部１６からは、ＤＣ電源供給用配線（図６では不図示）、アース配線４３が引き出されている。
【００２８】
摺動部材３３は、図６に示すようにＤＣジャックコネクタ部１６の外周面３８と、トップカバー３５の内周面３９との間に設けられている。摺動部材３３の摩擦係数は、例えばトップカバー３５及びベゼル３６の摩擦係数より小さい。摺動部材３３の構成材料には、耐疲労性、耐摩擦性に優れた例えばポリアセタール（ＰＯＭ  polyacetal）が用いられている。ポリアセタールは、バランスの取れた機械的性質を持つ結晶性樹脂で、特に耐疲労性に極めて優れている。耐摩擦、耐クリープ性、寸法安定性に優れ、吸水性も少ない性質を持っている。使用可能な温度範囲が広い（例えば−４０°Ｃ〜＋１５０°Ｃ）。
図７はＤＣジャックコネクタ部１６の六面図である。図７（Ａ）〜（Ｆ）は、それぞれＤＣジャックコネクタ部１６の平面図、左側面図、正面図、右側面図、背面図及び底面図である。  
ＤＣジャックコネクタ部１６は、図７（Ａ）に示すように、端子４１、４２を備える。端子４１は、例えばアース配線４３に接続されている。端子４２は、電源供給用配線４４に接続されている。図７（Ｂ）に示すように、ＤＣジャックコネクタ部１６の側面４５には、ＤＣ端子を挿入可能な接続端子接続部１４が形成されている。図７（Ｂ）〜（Ｅ）に示すように、アース配線４３と電源供給用配線４４とが交わらないように、端子４１、４２は、異なる高さに設けられている。
【００２９】
図８はＤＣジャックコネクタ部１６を被覆するキャップ部材１５の六面図及び右側面図のＢ−Ｂ断面図である。図８（Ａ）〜（Ｇ）は、それぞれキャップ部材１５の平面図、左側面図、正面図、右側面図、背面図、底面図及び右側面図のＢ−Ｂ断面図である。  
キャップ部材１５は、図８（Ｂ）及び（Ｄ）に示すように、側面５１に開口１７が形成されている。開口１７の直径は、ＤＣジャックコネクタ部１６に電源供給用の接続端子を接続可能であれば特に限定されず、例えばデザインに応じて適宜変更可能である。キャップ部材１５の側周面５２には、開口５３が形成されている。開口１７の直径は、開口５３の直径より小さい。キャップ部材１５には、図８（Ｇ）に示すように、ＤＣジャックコネクタ部１６を収容可能な空間Ｋが形成されている。側面５１は、キャップ部材１５の側周面５２から側周面５２の中心に向けて空間Ｋに落ち込んでいる。側周面５２には、切り欠き５５が形成されている。
【００３０】
図９は電子機器１のヒンジ機構部２５の六面図である。図９（Ａ）〜（Ｆ）は、それぞれヒンジ機構部２５の平面図、左側面図、正面図、右側面図、背面図及び底面図である。  
筒状部品２６は、図９（Ｂ）及び図６に示すように筒形状を有し、貫通孔２９が形成されている。筒状部品２６には、本体部側連結部材２７と、表示部側連結部材２８とが図９（Ｃ）に示す回動軸Ｙを回動軸として回動自在に連結されている。本体部側連結部材２７は、図９（Ａ）に示す複数の孔５７を用いて本体部３側に固定される。本体部側連結部材２７は、図９（Ｂ）に示すように段差部４７を有する。なお、孔５７の数や位置、及び段差部４７の形状などは本体部３側の形状に合わせて適宜変更される。表示部側連結部材２８は、図９（Ｃ）に示す複数の穴５８を用いて表示部２側に固定される。
【００３１】
図１０は電子機器１の電源スイッチ１１の断面図である。  
電源スイッチ１１は、リング状発光部７０を備えるスイッチキャップ部材６１、パワーボタン６２、光学拡散シート６３、拡散レンズ６４、ＳＷ基板ホルダ６５、ＬＥＤ１００、拡散シート１０１及び透明導光体１０２を備え、これらの部材が組み合わされて構成されている。
【００３２】
図１１は電源スイッチ１１のスイッチキャップ部材６１の六面図及びスイッチキャップ部材６１の右側面図のＣ−Ｃ断面図である。図１１（Ａ）〜（Ｇ）は、スイッチキャップ部材６１の正面図、左側面図、底面図、右側面図、平面図及び背面図である。  
スイッチキャップ部材６１は、側面６６と、側周面６７とを有する。側面６６には、図１１（Ｂ）に示すように略円形状の貫通孔６８が形成されている。スイッチキャップ部材６１は、図１１（Ｇ）に示すように、パワーボタン６２等を収容可能な空間Ｓを形成している。側面６６は、スイッチキャップ部材６１の側周面６７から側面６６の中心に向けて空間Ｓに落ち込んでいる。側周面６７には、切り欠き６９が形成されている。側周面６７には、リング状発光部７０が形成されている。リング状発光部７０は、図１０に示すように、スイッチキャップ部材６１にリング状に設けられている。リング状発光部７０は、側周面６７に略全周に亘るように配置されている。リング状発光部７０の構成材料には、例えば透明部材が用いられている。後述するＬＥＤにより空間Ｓ内で発光された光は、リング状発光部７０を通過し、スイッチキャップ部材６１の外側に照射される。
【００３３】
図１２は電子機器１の電源スイッチ１１のパワーボタン６２の六面図である。図１２（Ａ）〜（Ｆ）はパワーボタン６２の正面図、平面図、左側面図、底面図、右側面図及び背面図である。  
パワーボタン６２は、円盤状の基部７１、円盤状の基部７１から突出して設けられた凸部７２及び複数の突起部７３を備える。基部７１の外径は、凸部７２の外径より大きい。凸部７２は、図１２（Ｂ）に示すようにユーザにより押される押圧面７４を有する。突起部７３は、基部７１の底面７５から凸部７２側とは反対側に突出している。複数の突起部７３は、図１２（Ｄ）に示すように基部７１の直径上に離間して設けられている。突起部７３の直径は、それぞれ異なっている。図１２（Ｄ）に示すように、パワーボタン６２が電源スイッチであることを示すマークＭが、基部７１の底面７５に設けられている。このため、後述するＬＥＤを発光したときに、パワーボタン６２のマークＭが照らされ、パワーボタン６２の押圧面７４側からマークＭが光って見える。
【００３４】
図１３は電源スイッチ１１の光学拡散シート６３の側面図及び平面図である。  
光学拡散シート６３は、略円板形状を有し、パワーボタン６２の底面７５に貼り付けられる。光学拡散シート６３は、突起部７３に対応する位置に凹形状の切り欠き７５が形成されている。光学拡散シート６３は、後述するＬＥＤ側から入射する光を拡散する。なお、切り欠き７５の形状は、同形状であってもよいし、異なる形状であってもよい。
【００３５】
図１４は電源スイッチ１１の拡散レンズ６４の六面図である。図１４（Ａ）〜（Ｆ）は拡散レンズ６４の正面図、平面図、左側面図、底面図、右側面図及び背面図である。  
拡散レンズ６４は、略円板形状を有する基部８１と、基部８１の外周縁付近から突出する突出部８２とを備える。拡散レンズ６４は、例えば光を拡散する拡散材が含有された乳白色の樹脂材料からなる。突起部８２は、図１０に示すように、ＳＷ基板９０に実装されたスイッチ９５に対面する位置に設けられている。拡散レンズ６４は、図１４（Ｂ）及び（Ｄ）に示すようにＳＷ基板ホルダ６５に固定するためのフック部８３を備える。フック部８３は、拡散レンズ６４の中心を挟んで反対側に突出する。フック部８３は、図１０に示すＳＷ基板ホルダ６５に嵌る。図１０に示すように、拡散レンズ６４の面８１ａと、ＳＷ基板ホルダ６５の面８３ａとは同一平面内に位置する。拡散レンズ６４は、後述するＬＥＤ９７、９８から発光された光を拡散しパワーボタン６２側に導く導光板及び拡散板としての機能を備える。
【００３６】
図１５は電源スイッチ１１のＳＷ基板を保持するＳＷ基板ホルダ６５の六面図である。図１５（Ａ）〜（Ｆ）はＳＷ基板ホルダ６５の正面図、左側面図、底面図、右側面図、背面図及び平面図である。  
ＳＷ基板ホルダ６５は、図１０に示すように、ＳＷ基板９０を保持すると共に、拡散レンズ６４及びパワーボタン６２を弾性的に保持する。ＳＷ基板ボルダ６５の構成材料には、例えば光を散乱させる拡散材を含有する乳白色の樹脂材料等が用いられている。ＳＷ基板ホルダ６５は、リング状保持部８３、弾性支持部８４、ＳＷ基板保持部８５及び支持部８６を備え、これらの各部が一体的に構成されている。
【００３７】
リング状保持部８３は、図１５（Ｄ）に示すようにリング形状を有している。リング状保持部８３には、図１４に示す拡散レンズ６４を保持可能な貫通孔９１が形成されている。貫通孔９１に、拡散レンズ６４が嵌り、拡散レンズ６４がリング状保持部８３に固定される。リング状保持部８３には、図１２に示すパワーボタン６２の複数の突起部７３に対応する位置に複数の貫通孔９２が形成されている。複数の貫通孔９２には、図１２に示す複数の突起部７３が挿入され、リング状保持部８３に対してパワーボタン６２が固定される。これらの貫通孔９２の直径は、対応して設けられる突起部７３の直径に対応して異なっている。
【００３８】
弾性支持部８４は、湾曲形状である。弾性支持部８４は、リング状保持部８３及び支持部８６に一体的に固定されている。弾性支持部８４は、リング状保持部８３を弾性的に支持する。つまり、弾性支持部８４は、図１０に示すように、パワーボタン６２、拡散レンズ６４及びリング状保持部８３を一体的かつ弾性的に支持する。具体的には、弾性支持部８４は、ユーザによりパワーボタン６２の押圧面７４が押されたときにパワーボタン６２がＹ方向に凹みユーザが押圧面７４を押さないときに初期位置に戻るように、リング状保持部８３を弾性的に支持する。例えばユーザがパワーボタン６２の押圧面７４を押下したときに、弾性支持部８４が弾性変形する。このとき、突出部８２は、図１０に示すＳＷ基板９０に実装されたスイッチ９５を押下する。
【００３９】
ＳＷ基板保持部８５は、図１５（Ｂ）に示すようにＳＷ基板９０をその両側から挟むように保持する一対のアーム形状を有する。
【００４０】
支持部８６は、ＳＷ基板保持部８５、弾性支持部８４を支持する。
【００４１】
発光部１０４には、図１０に示すように、支持部８６と透明導光体１０２とが異なる位置でネジ止めされている。透明導光体１０２は、リング状発光部７０の内周面側に対応するように配置されている。
【００４２】
ＬＥＤ１００は、透明導光体１０２に固定して設けられている。ＬＥＤ１００は、例えば拡散レンズ６４の中心点に対応する位置付近に設けられている。ＬＥＤ１００は、パワーボタン６２側とは反対側に向けて図１０に示す矢印方向に光を発光する。つまり、ＬＥＤ１００は、ＬＥＤ９７、９８が光を発光する向きとは反対向きに光を発光する。
【００４３】
拡散シート（光学シート）１０１は、例えばＳＷ基板９０に平行にＳＷ基板ホルダ６５に固定されている。
【００４４】
ＬＥＤ１００から発光された光は、図１０に示すように、パワーボタン６２側とは反対側に照射され、透明導光体１０２、リング状発光部７０を透過したり、拡散シート１０１に入射したりする。拡散シート１０１に入射した光は、拡散シート１０１により拡散される。拡散シート１０１により拡散された光は、例えば透明導光体１０２を透過し、リング状発光部７０に入射し、外部へ照射される。
【００４５】
ＳＷ基板９０のパワーボタン６２側の面には、図１０に示すように、ＬＥＤ９７、９８及びスイッチ９５が実装されている。ＬＥＤ９７、９８は、異なる色の光を拡散レンズ６４に向けて出射可能である。例えば一方のＬＥＤ９７は、緑色に発光し、他方のＬＥＤ９８は赤（オレンジ）色に発光する。なお、ＬＥＤ９７、９８の個数、発光色は特に限定されない。ＬＥＤ９７、９８から出射された光は、拡散レンズ６４で拡散され、拡散された光は光学拡散シート６３に入射する。光学拡散シート６３に入射した光は、光学拡散シート６３により拡散され、パワーボタン６２を通過しパワーボタン６２の外部に照射される。スイッチ９５は、オンオフ状態が突起部８２に当接して切り替えられる。
【００４６】
このように本実施形態によれば、ＤＣジャックコネクタ部１６は、ヒンジ収容部１２のヒンジ機構部２５の回動軸方向（図６のＹ方向）の一方の端部でハウジングボトム２２に配置されている。また、キャップ部材１５は、表示部２と一体的に回動自在に設けられている。このため、表示部２が回動してもＤＣジャックコネクタ部１６が回動することを防止することができる。表示部２が本体部３に対して回動するときに、キャップ部材１５が表示部２と一体的に回動する。この結果、ＤＣジャックコネクタ部１６があたかもキャップ部材１５と一体的に回動しているようにユーザに対して見せることができ、デザイン性が損なわれることを防止することができる。また、本体部３に対する表示部２の回動時に、ＤＣジャックコネクタ部１６に接続されたアース配線４３や電源供給用配線４４にかかる負荷を低減することができる。
【００４７】
ヒンジ機構部２５は、本体部３と表示部２とを接続する配線ケーブル２３を挿通する筒状部品２６と、筒状部品２６に回動自在に連結され表示部２に一端が固定された表示部側連結部材２８と、筒状部品２６に連結され本体部３に一端が固定された本体部側連結部材２７とを備える。これにより、本体部３に対して表示部２が回動しても、表示部２と一体的に表示部側連結部材２８が筒状部品２６に対して回動する。この結果、表示部２の回動時に配線ケーブル２３にかかる負荷を確実に低減することができる。
【００４８】
ヒンジ機構部は２５、本体部３の背面のヒンジ収容部１２内の両端部に複数設けられている。これにより、本体部３に対して確実に表示部２を回動自在にすることができる。
【００４９】
本体部３と、キャップ部材１５とは、図４に示すように離間している。これにより、ＤＣジャックコネクタ部１６が表示部２と一体的に設けられていることをより明確に示すことができ、本体部３に対して表示部２を回動させたときに、キャップ部材１５が回動する様子をユーザに対してより分かり易く示すことができる。結果的に、表示部２の回動時にあたかもＤＣジャックコネクタ部１６が回動するようにユーザにみせつつＤＣジャックコネクタ部１６を安定的に配置することができる。
【００５０】
ＤＣジャックコネクタ部１６の外周面３８と、環状部９４の内周面３９との間に摺動部材３３が介在する。これにより、表示部２の回動時にＤＣジャックコネクタ部１６の外周面３８と環状部９４の内周面３９との摩擦によるトップカバー３５やベゼル３６等の磨耗を防止することができると共に、ＤＣジャックコネクタ部１６を補強することができる。
【００５１】
表示部２が本体部３に対して回動するときに、ＤＣジャックコネクタ部１６は回転しないので、接続端子接続部１４に図示しない電源供給用の接続端子が接続されているときに、電源供給用の接続端子に接続された配線ケーブルへの負荷を低減することができる。また、接続端子接続部１４に挿入される電源供給用の接続端子が、例えばＬ字型コネクタ形状を有する場合においても、Ｌ字型コネクタが表示部２の開閉と共に回転することを防止することができる。この結果、Ｌ字型コネクタに接続されている配線ケーブルにかかる負荷を低減することができる。
【００５２】
ヒンジ機構部２５が筒状部品２６を備えるようにすることで、配線ケーブル２３を貫通孔２９を挿通するなどすることができ、電子機器１を製造するときに、セット組み付けが困難になることを防止することができる。
【００５３】
ヒンジ機構部２５が筒状部品２６を備えるようにすることで、ヒンジを採用し表示部２側からの配線ケーブル２３のルートをシンプルしてスペースの効率化を図ることができる。
【００５４】
電子機器１は、ヒンジ収容部１２のＤＣジャック部１０側とは反対側の端部に電源スイッチ１１を備える。電源スイッチ１１は、表示部２と一体的に回動自在に設けられる。電源スイッチ１１は、表示部２と一体的に回動自在に設けられたパワーボタン６２と、パワーボタン６２を押圧面７４を除き包囲し表示部２と一体的に回動自在に設けられたスイッチキャップ部材６１とを備える。これにより、本体部３に対して表示部２を回動するときに、ＤＣジャックコネクタ部１６のキャップ部材１５と、電源スイッチ１１のスイッチキャップ部材６１とを表示部２と一体的に回動させることができる。つまり、デザイン性を損ねることを防止することができる。
【００５５】
電源スイッチ１１は、透明導光体１０２を備え、透明導光体１０２にＬＥＤ１００が設けられている。支持部６５は、拡散シート（光学シート）１０１を備える。スイッチキャップ部材６１がリング状発光部７０を備える。このため、ＬＥＤ１００が発光すると、ＬＥＤ１００から発光された光は、パワーボタン６２側とは反対側に照射され、透明導光体１０２、リング状発光部７０を透過したり、拡散シート１０１に入射し拡散シート１０１により拡散されたりする。拡散シート１０１により拡散された光は、透明導光体１０２を透過し、リング状発光部７０に入射し、外部へ照射される。この結果、透明導光体１０２を用いることで、リング状発光部７０を高輝度で発光させることができる。また、拡散シート（光学シート）１０１を備えるので、拡散効果と明るさとを向上させることができる。
【００５６】
＜第１の変形例＞  
次に、第１の変形例のＤＣジャック部の例について説明する。なお、本変形例以降では、上記実施形態と同様の構成には同一の符号を付しその説明を省略し、異なる箇所を中心に説明する。
【００５７】
図１６は、第１の変形例の電子機器のＤＣジャック部付近の部分斜視図である。  
本発明に係る第１の変形例の電子機器１Ａは、表示部２Ａと、本体部３Ａとを備え、本体部３Ａに対して表示部２Ａがヒンジ連結部４Ａを介して回動（開閉）可能に設けられている。ヒンジ連結部４Ａは、本体部３Ａに固定されている。ＤＣジャック部１０ＡのＤＣジャックコネクタ部１６Ａは、ヒンジ連結部４Ａに固定されている。キャップ部材１５Ａは、表示部２Ａに固定されている。本体部３Ａと、ＤＣキャップ１５Ａとの間には、ギャップＧＡが形成されている。このように、上記実施形態と同様の構成で他のデザインのノート型パーソナルコンピュータにおいても上記実施形態と同様の効果を得ることができる。
【００５８】
＜第２の変形例＞  
図１７は、第２の変形例の電子機器のＤＣジャック部付近の部分斜視図である。  
本発明に係る第２の変形例の電子機器１Ｂは、表示部２Ｂと、本体部３Ｂとを備え、本体部３Ｂに対して表示部２Ｂがヒンジ連結部４Ｂ等を介して回動（開閉）可能に設けられている。本体部３Ｂに、ヒンジ連結部４Ｂが固定されている。表示部２Ｂにヒンジ連結部４Ｃが固定されている。端部１０Ｂは、例えばコネクタ部１６Ｂを備える。キャップ部材１５Ｂは、例えば表示部２Ｂ側に固定される。なお、キャップ部材１５Ｂは、本体部３Ｂ側に固定されていてもよい。このように、他のデザインのノート型パーソナルコンピュータにおいても上記実施形態と同様の効果を得ることができる。
【００５９】
本発明は以上説明した実施の形態や変形例には限定されるものではなく、種々の変形が可能である。
【００６０】
上記実施形態では、ＤＣジャックコネクタ部１６が本体部３を構成するハウジングボトム２２の端部に配置されている例を示した。しかし、本体部３側を構成する他の部材にＤＣジャックコネクタ部１６を配置するようにしてもよい。このような構成にすることで、同様に表示部２の回動時にＤＣジャックコネクタ部１６が回動することを防止し、電源供給用配線４４やアース配線４３の負荷を低減することができる。
【図面の簡単な説明】
【００６１】
【図１】本発明の一実施形態に係る電子機器の開いた状態の斜視図である。
【図２】図１に示す電子機器の閉じた状態の斜視図である。
【図３】図１に示す電子機器のＤＣジャック部付近の部分斜視図である。
【図４】図１に示す電子機器のＤＣジャック部付近の部分斜視図である。
【図５】電子機器のＤＣジャック部のキャップを外した状態の部分斜視図である。
【図６】図３に示す電子機器のＡ−Ａ断面図である。
【図７】ＤＣジャック本体部の六面図である。
【図８】ＤＣジャック本体部を被覆するキャップの六面図及び右側面図のＢ−Ｂ断面図である。
【図９】電子機器のヒンジ機構部の六面図である。
【図１０】電子機器の電源スイッチの断面図である。
【図１１】電源スイッチのキャップの六面図及びキャップの右側面図のＣ−Ｃ断面図である。
【図１２】電子機器の電源スイッチのパワーボタンの六面図である。
【図１３】電源スイッチの光学拡散シートの側面図及び平面図である。
【図１４】電源スイッチの拡散レンズの六面図である。
【図１５】電源スイッチのＳＷ基板を保持するＳＷ基板ホルダの六面図である。
【図１６】第１の変形例の電子機器のＤＣジャック部付近の部分斜視図である。
【図１７】第２の変形例の電子機器のＤＣジャック部付近の部分斜視図である。
【符号の説明】
【００６２】
Ｇ、ＧＡ  ギャップ
Ｙ  回動軸
１、１Ａ、１Ｂ  電子機器
２、２Ａ、２Ｂ  表示部
３、３Ａ、３Ｂ  本体部
４、４Ａ、４Ｂ、４Ｃ  ヒンジ連結部
１０、１０Ａ  ＤＣジャック部
１５Ａ  ＤＣキャップ
１１  電源スイッチ
１２  ヒンジ収容部
１４  接続端子接続部
１５、１５Ａ、１５Ｂ  キャップ部材
１６、１６Ａ  ＤＣジャックコネクタ部
１７  開口
２１  パームレスト
２２  ハウジングボトム
２３  配線ケーブル
２５  ヒンジ機構部
２６  筒状部品
２７  本体側連結部材
２８  表示部側連結部材
２９  貫通孔
３３  摺動部材
３５  トップカバー
３６  ベゼル
３８  外周面
３９  内周面
４３  アース配線
４４  電源供給用配線
６１  スイッチキャップ部材
７０  リング状発光部
９４  環状部
１００  ＬＥＤ
１０１  拡散シート
１０２  透明導光体
【図１】
2010066905.tif 000003
【図２】
2010066905.tif 000004
【図３】
2010066905.tif 000005
【図４】
2010066905.tif 000006
【図５】
2010066905.tif 000007
【図６】
2010066905.tif 000008
【図７】
2010066905.tif 000009
【図８】
2010066905.tif 000010
【図９】
2010066905.tif 000011
【図１０】
2010066905.tif 000012
【図１１】
2010066905.tif 000013
【図１２】
2010066905.tif 000014
【図１３】
2010066905.tif 000015
【図１４】
2010066905.tif 000016
【図１５】
2010066905.tif 000017
【図１６】
2010066905.tif 000018
【図１７】
2010066905.tif 000019